(57)【要約】【課題】ＩＣタグが取り付けられた移動式シートを容易に移動することが可能であり、利便性に優れる情報提供システムを提供する。【解決手段】外部からの信号を受けるアンテナ４と情報を記録する集積回路部１２を有するＩＣタグ３と、ＩＣタグ３に記録されている情報を、非接触式の情報認識技術によって読み取るリーダー２を有する情報提供システムである。そして、ＩＣタグ３は、所定の形状を有する移動式シート１に取り付けられていることを特徴とする。【選択図】図１
2006110172.tif 000002
【特許請求の範囲】
【請求項１】
外部からの信号を受けるアンテナと情報を記録する集積回路部を有するＩＣタグと、
前記ＩＣタグに記録されている情報を、非接触式の情報認識技術によって読み取るリーダーを有する情報提供システムにおいて、
前記ＩＣタグは、所定の形状を有する移動式シートに取り付けられていることを特徴とする情報提供システム。
【請求項２】
前記ＩＣタグから、前記リーダーへの情報伝送方法として、電磁結合、電磁誘導、マイクロ波、近赤外線による光、あるいは、短近距離無線通信のいずれかを使用することを特徴とする請求項１に記載の情報提供システム。
【請求項３】
前記リーダーは、人間により携行可能で、杖、ベルトによって人体に固着可能な形態、もしくは、衣服内に収納可能な形態のうちいずれかの形態であることを特徴とする請求項１又は２に記載の情報提供システム。
【請求項４】
前記移動式シートの表面に、凹凸が設けられていることを特徴とする請求項１〜３のいずれかの項に記載の情報提供システム。
【請求項５】
前記移動式シートは、所定方向へ巻き取ることが可能であることを特徴とする請求項１〜４のいずれかの項に記載の情報提供システム。
【請求項６】
前記移動式シートは、折り畳み可能であることを特徴とする請求項１〜４のいずれかの項に記載の情報提供システム。
【発明の詳細な説明】
【技術分野】
【０００１】
本発明は、道路の歩行者通路、建造物の入り口、イベント等の仮設設備による展示場、展示内容の変更が行われる博物館等の展示会場などに必要の都度設置して使用され、歩行者や利用者に各種の案内や危険予知情報等を提供し、目的を達成した場合や別の場所へ移動する際には、そのままで、もしくは、コンパクトに折り畳んだり、あるいは、巻き取って移動することのできる移動式シートを有する情報提供システムに関する。
【背景技術】
【０００２】
従来からイベント会場や展示場等における展示物の説明に関して、展示物の案内用の情報を記録した磁気テープ再生機器を使用する技術が知られている。この技術では、利用者等が対象となる場所に到達すると、赤外線等の信号により利用者を検知して、磁気テープ再生機器に記録されている磁気テープを再生することにより展示物の案内用の情報を提供している。また、上記の磁気テープの代わりにデジタルメモリを使用する技術も知られている。
【０００３】
更に、磁気テープやデジタルメモリを使用する以外に、ＩＣタグを使用した技術として、ＩＣタグをウォーキングコース内の各所に配置し、歩行者に情報を提供すると共に、歩行者の通過確認を行うシステムも提案されている（特許文献１参照）。
一方、歩行者の歩行をアシストする道具として、歩道上に目の不自由な方の移動を支援するための点字ブロックを設置することにより、歩行者は接触式の道具（杖）によって、点字ブロックの凹凸の形状を読み取り、歩行の際の情報を取得していた。
【特許文献１】特開２００３−２９６８７４号公報
【発明の開示】
【発明が解決しようとする課題】
【０００４】
しかしながら、博物館、美術館、仮設の展示場等では、音声記録式磁気テープ等による案内が行われることがあったが、この場合、展示物に合わせた内容の記録が必要であるため、展示物の更新の都度、それに対応した記録内容の更新と、各機器に収納している磁気テープ等の内容の更新が必要であるという問題があった。
また、テープやデジタルメモリの機器の台数は、利用者の数に応じて変化するため、展示場や仮設催事場等の施設においては、上記のような内容更新に関わる機器側での対応にも多くの労力を必要とするという問題もあった。
【０００５】
更に、複数の会社組織が入居した建物においては、案内人がいる場合を除き、通常、フロア毎に入居会社の案内看板があるのみで、音声による案内を自動で受けることはできなかった。また、来訪者が建物内に立ち入った際に、会社案内等の説明が必要な場合に、人感センサ等により来訪者の出現を検出し自動操作させたり、来訪者が自らの操作によって案内システムを稼動させないと案内を受けることができないという問題があった。また、人感センサを使用する場合では、複数の来訪者があると、それぞれの来訪者に対応した案内を行うのが困難になるという問題があった。また、案内システムを来訪者が操作する場合も、先に到着した来訪者への案内が行われていると、後から到着した来訪者は途中からの情報を聞くことになり、必要な情報の入手が行い難いという問題があった。このような対策の一つとして、受付担当者を配置することが考えられるが、受付担当者を配置したとしても、混雑時には待ち行列が生じ、自分の番になるまでに待ち時間が生じるという問題があった。
一方、従来の点字ブロックは固定式のものであり、仮設の展示会場等に設置する場合には、定期的あるいは不定期に設置し直す必要があり労力がかかるという問題があった。
【０００６】
本発明は、このような事情に鑑みてなされたものであり、その目的は、ＩＣタグが取り付けられた移動式シートを容易に移動することが可能であり、利便性に優れる情報提供システムを提供することにある。
【課題を解決するための手段】
【０００７】
本発明は、上述の課題を解決すべくなされたもので、請求項１に記載の発明は、外部からの信号を受けるアンテナと情報を記録する集積回路部を有するＩＣタグと、前記ＩＣタグに記録されている情報を、非接触式の情報認識技術によって読み取るリーダーを有する情報提供システムにおいて、前記ＩＣタグは、所定の形状を有する移動式シートに取り付けられていることを特徴とする情報提供システムである。
【０００８】
また、請求項２に記載の発明は、前記ＩＣタグから、前記リーダーへの情報伝送方法として、電磁結合、電磁誘導、マイクロ波、近赤外線による光、あるいは、短近距離無線通信のいずれかを使用することを特徴とする請求項１に記載の情報提供システムである。
【０００９】
また、請求項３に記載の発明は、前記リーダーは、人間により携行可能で、杖、ベルトによって人体に固着可能な形態、もしくは、衣服内に収納可能な形態のうちいずれかの形態であることを特徴とする請求項１又は２に記載の情報提供システムである。
【００１０】
また、請求項４に記載の発明は、前記移動式シートの表面に、凹凸が設けられていることを特徴とする請求項１〜３のいずれかの項に記載の情報提供システムである。
【００１１】
また、請求項５に記載の発明は、前記移動式シートは、所定方向へ巻き取ることが可能であることを特徴とする請求項１〜４のいずれかの項に記載の情報提供システムである。
【００１２】
また、請求項６に記載の発明は、前記移動式シートは、折り畳み可能であることを特徴とする請求項１〜４のいずれかの項に記載の情報提供システムである。
【発明の効果】
【００１３】
本発明では、ＩＣタグを所定の形状を有する移動式シートに取り付けるようにした。このため、道路の歩行者通路、建造物の入り口、イベント等の仮設設備による展示場、展示内容の変更が行われる博物館等の展示会場などに必要の都度持ち運んで設置することができる。
【００１４】
また、本発明では、ＩＣタグから電磁結合、電磁誘導、マイクロ波、近赤外線による光、あるいは、短近距離無線通信のいずれかを使用して情報を取得することにした。よって、ユーザーは、移動式シートに接触することなく情報を取得することができるため、情報提供システムを使用する際の利便性を向上させることができる。
また、本発明では、リーダーとして人間により携行可能で、杖、ベルトによって人体に固着可能な形態、もしくは、衣服内に収納可能な形態のうちいずれかの形態を用いるようにした。このため、リーダーを携帯するユーザーの負担を軽減することができる。
【００１５】
また、本発明では、移動式シートの表面に凹凸を設けるようにした。このため、視力の低いユーザーであっても、歩行時のアシストや展示物等の詳細な情報を取得することが可能となる。
また、本発明では、移動式シートが巻き取ることが可能であるようにした。このため、歩行者や利用者に各種の案内や危険予知情報等を提供することが可能になるとともに、目的を達成した場合や別の場所へ移動する際には、ロール状に巻き取って持ち運ぶことができる。
【００１６】
また、本発明では、移動式シートが折り畳み可能であるようにした。このため、歩行者や利用者に各種の案内や危険予知情報等を提供することが可能になるとともに、目的を達成した場合や別の場所へ移動する際には、コンパクトに折り畳んで持ち運ぶことができる。
【発明を実施するための最良の形態】
【００１７】
以下、本発明の実施形態による情報提供システムを図面を参照して説明する。
図１は、本発明の第１の実施形態による情報提供システムの構成を示す図である。
本実施形態の情報提供システムは、２枚の移動式シート１ａ及び１ｂと、リーダー２（２ａ、２ｂ）を有する。
リーダー２としては、リーダー２を杖に組み込んだリーダー２ａや、携帯型のリーダー２ｂを用いることができる。
移動式シート１には、ＩＣタグ３（３ａ、３ｂ）が取り付けられている。ＩＣタグ３には、現在位置を示す位置情報や、危険の有無を示す危険情報などが記録されている。ユーザーＭ１は、リーダー２ａのアンテナ４ａによりＩＣタグ３に記録されている情報を読み取る。また、ユーザーＭ２は、リーダー２ｂのアンテナ４ｂによりＩＣタグ３に記録されている情報を読み取る。
なお、ここでは、移動式シート１（１ａ及び１ｂ）が２枚設置されている場合について説明しているが、このような構成に限定されるものではなく、移動式シート１を１枚、又は、３枚以上設置することもできる。
【００１８】
図２は、本発明の実施形態によるＩＣタグ３の構成を示す平面図である。ＩＣタグ３は、アンテナ４ｃとＩＣチップ５を有する。アンテナ４ｃは、リーダー２から送信される電波を受信すると、ＩＣチップ５に記録されている情報をアンテナ４ｃを介してリーダー２に送信する。
図３は、本発明の実施形態によるリーダー２の構成を示すブロック図である。リーダー２は、アンテナ４ｂと集積回路部１２を有する。集積回路部１２は、発信器６、受信器７、データ処理部８、アンプ部９、音声再生機１０、電源部１１を有する。電源部１１は、電池などにより構成され、リーダー２の各部に電力を供給する。発信器６は、移動式シート１に取り付けられているＩＣタグ３に対して、アンテナ４ｂを介して電波を送信する。
【００１９】
受信器７は、ＩＣタグ３から送信される電波をアンテナ４ｂを介して受信すると、受信した電波に対応する信号をデータ処理部８に対して出力する。データ処理部８は、受信器７から入力された信号をオーディオ信号に変換して、アンプ部９に対して出力する。アンプ部９は、データ処理部８から入力されたオーディオ信号を再生する。音声再生機１０は、スピーカなどにより構成され、アンプ部９で再生されるオーディオ信号を音声として出力する。
なお、上記説明では、音声再生機１０としてスピーカを使用して音声を再生する場合について説明したが、これに限定されるものではない。例えば、図４に示すように、音声再生機１０としてイヤホン１３を使用することもできる。このような構成にすれば、リーダー２の所持者だけが音声を聞くことができるという利点がある。
【００２０】
なお、上述した第１の実施形態における移動式シート１ａの表面に、図５に示すように点字ブロックの凹凸１４を複数設けるようにしても構わない。
このような構成にすれば、ユーザーＭ１が杖に組み込まれたリーダー２ａを用いて、ＩＣタグ３（３ａ、３ｂ）から情報を順次取得することができるとともに、リーダー２を杖として利用することにより点字ブロックの凹凸１４からも情報を取得することができるので、目の不自由なユーザーが歩道等を歩行する際の経路の誘導や安全性をより向上させることができる。
【００２１】
次に、本発明の第２の実施形態による情報提供システムについて説明する。
図６は、本実施形態による情報提供システムの構成を示す図である。
本実施形態が第１の実施形態による情報提供システム（図１参照）と同じ構成を取る部分については、同一の符号を付してその説明を省略する。
本実施形態による情報提供システムは、第１の実施形態による情報提供システムと移動式シート１の構成が相違している。本実施形態の移動式シート１ｃは、帯状の形状に加工されている。移動式シート１ｃの長手方向には、所定の間隔ごとにＩＣタグ３（３ｃ、３ｄ、３ｅ、・・・）が取り付けられている。
【００２２】
このような構成にすることにより、ユーザーＭ２は、リーダー２ｂを所持しながら、移動式シート１ｃの上を長手方向に歩行することにより、直近のＩＣタグ３に記録されている情報を順次取得することができる。
本実施形態による移動式シート１ｃは、長手方向にロール状に巻き取ることができるようになっている。従来の情報提供システムのように歩道などにＩＣタグが固定されていると、その情報提供システムを別の場所に移動させて使用することができなかったが、本実施形態による移動式シート１ｃは、情報提供システムを使用したい場所に移動式シート１ｃを容易に持ち運ぶことができる。そして、持ち運んだ移動式シート１ｃを一平面上に展開して設置することにより、本実施形態による情報提供システムを任意の場所で使用することができる。
【００２３】
なお、上述した第２の実施形態における移動式シート１ｃの表面に、図７に示すように点字ブロックの凹凸１４を複数設けるようにしても構わない。
このような構成にすれば、ユーザーＭ１が杖に組み込まれたリーダー２ａを用いて、ＩＣタグ３から情報を順次取得することができるとともに、リーダー２を杖として利用することにより点字ブロックの凹凸１４からも情報を取得することができるので、目の不自由なユーザーが歩道等を歩行する際の経路の誘導や安全性をより向上させることができる。
【００２４】
次に、本発明の第３の実施形態による情報提供システムについて説明する。
図８は、本実施形態による情報提供システムの構成を示す図である。
本実施形態が第１の実施形態による情報提供システム（図１参照）と同じ構成を取る部分については、同一の符号を付してその説明を省略する。
本実施形態による情報提供システムは、第１の実施形態による情報提供システムと移動式シート１の構造が相違している。本実施形態による移動式シート１ｄは、長方形状の移動式シート１ｅ〜１ｊが、長手方向に相互に接続されて構成されている。移動式シート１ｅには、長手方向に複数のＩＣタグ３（３ｆ、３ｇ、３ｈ、・・・）が取り付けられている。移動式シート１ｆ〜１ｊについても移動式シート１ｅと同じように、長手方向にＩＣタグ（・・・３ｘ、３ｙ、３ｚ）が複数取り付けられている。
【００２５】
このため、移動式シート１ｄを一平面上に展開して使用することにより、ユーザーＭは、リーダー２を所持しながら、移動式シート１ｄの上を長手方向に歩行することにより、直近のＩＣタグ３に記録されている情報を順次取得することができる。
本実施形態による移動式シート１ｄは、移動式シート１ｅ〜１ｊをそれぞれ重なるように折り畳むことができるように構成されている。よって、情報提供システムを使用したい場所に移動式シート１ｄを容易に持ち運ぶことができる。そして、持ち運んだ移動式シート１ｃを一平面上に広げて設置することにより、本実施形態による情報提供システムを任意の場所で使用することができる。
【００２６】
なお、上述した第３の実施形態における移動式シート１ｄの表面に、図９に示すように点字ブロックの凹凸１４を複数設けるようにしても構わない。
このような構成にすれば、ユーザーＭが杖に組み込まれたリーダー２ａを用いて、ＩＣタグ３から情報を順次取得することができるとともに、リーダー２を杖として利用することにより点字ブロックの凹凸１４からも情報を取得することができるので、目の不自由なユーザーが歩道等を歩行する際の経路の誘導や安全性をより向上させることができる。
【００２７】
次に、本発明の実施形態による移動式シート１の設置例について説明する。
図１０は、移動式シート１を展示ルームの床面に設置した状態を示す図である。
展示ルームの壁Ｗ１、Ｗ２、Ｗ３には、絵画などの展示物１６ａ及び１６ｂ、１６ｃ、１６ｄ及び１６ｅがそれぞれ設置されている。
壁Ｗ１に設置されている展示物１６ａ及び１６ｂの前方の床には、移動式シート１が設置されている。移動式シート１に取り付けられているＩＣタグ３には、展示物１６ａ及び１６ｂに関する情報、例えば、展示物の名前である「ａａａ」、「ｂｂｂ」や、展示物１６ａ及び１６ｂに関する説明などが記録されている。
【００２８】
リーダー２ｂを所持したユーザーＭ２が、移動式シート１に取り付けられているＩＣタグ３の電波を受信することができる距離に接近すると、リーダー２ｂの音声再生機１０は、展示物１６ａや展示物１６ｂの説明を開始する。
また、壁Ｗ３に設置されている展示物１６ｄ及び１６ｅの前方の床にも、移動式シート１が設置されている。展示物１６ａ及び１６ｂを鑑賞し終わったユーザーＭ２が、展示物１６ｄ及び１６ｅに向かって移動し、リーダー２ｂがＩＣタグ３の電波を受信することができる距離に接近すると、リーダー２ｂの音声再生機１０は、展示物１６ｄや展示物１６ｅの説明を開始する。
【００２９】
次に、本発明の実施形態による移動式シート１の他の設置例について説明する。
図１１は、移動式シート１を展示ルームの壁面に設置した状態を示す図である。
展示ルームの壁Ｗ１、Ｗ２、Ｗ３には、絵画などの展示物１６ａ及び１６ｂ、１６ｃ、１６ｄ及び１６ｅがそれぞれ設置されている。
壁Ｗ１に設置されている展示物１６ａ及び１６ｂの下方には、移動式シート１がそれぞれ設置されている。移動式シート１に取り付けられているＩＣタグ３には、展示物１６ａ及び１６ｂに関する情報、例えば、展示物の名前である「ａａａ」、「ｂｂｂ」や、展示物１６ａ及び１６ｂに関する説明などが記録されている。リーダー２ｂを所持したユーザーＭ２が、移動式シート１に取り付けられているＩＣタグ３の電波を受信することができる距離に接近すると、リーダー２ｂの音声再生機１０は、展示物１６ａや展示物１６ｂの説明を開始する。
また、壁Ｗ３に設置されている展示物１６ｄ及び１６ｅの下方にも、移動式シート１が設置されている。展示物１６ａ及び１６ｂを鑑賞し終わったユーザーＭ２が、展示物１６ｄ及び１６ｅに向かって移動し、リーダー２ｂがＩＣタグ３の電波を受信することができる距離に接近すると、リーダー２ｂの音声再生機１０は、展示物１６ｄや展示物１６ｅの説明を開始する。
【００３０】
次に、本発明の実施形態による移動式シート１の他の設置例について説明する。
図１２は、移動式シート１をデパートの建物入り口の壁面に設置した状態を示す図である。Ｆデパートの建物入り口１７が設けられている壁Ｗ４には、移動式シート１が設置されている。
移動式シート１に取り付けられているＩＣタグ３には、Ｆデパートに関する情報、例えば、デパート名や店内情報などが記録されている。リーダー２ｂを所持したユーザーＭ２が、移動式シート１に取り付けられているＩＣタグ３の電波を受信することができる距離に接近すると、リーダー２ｂの音声再生機１０は、Ｆデパートに関する説明を開始する。
【００３１】
次に、本発明の実施形態による移動式シート１の他の設置例について説明する。
図１３は、移動式シート１を建物入り口の床面などに設置した状態を示す図である。ここでは、移動式シート１としてカーペットを使用する場合について示している。移動式シート１に取り付けられているＩＣタグ３には、例えば、Ｇ社やＨ社の企業情報などが記録されている。リーダー２を所持したユーザーＭが、移動式シート１に取り付けられているＩＣタグ３の電波を受信することができる距離に接近すると、リーダー２ｂの音声再生機１０は、Ｇ社やＨ社に関する説明を開始する。
移動式シート１をこのように使用すれば、Ｇ社の商標である「Ｇ」や、Ｈ社の社名である「Ｈ社」という文字や、ビル名、模様、広告などをカーペットの表面に記載することにより、ＩＣタグ３に記録されているＢ社やＣ社の企業情報と合わせて、リーダー２を所持しているユーザーＭにＧ社やＨ社をより強力に印象付けることができる。
【００３２】
なお、上述した第１〜第３の実施形態による情報提供システムでは、ＩＣタグ３とリーダー２の間での信号の送受信を電波を介して行う場合について説明したが、このような構成に限定されるものではない。ＩＣタグ３とリーダー２の間での信号の送受信の方法として種々の非接触式の情報認識技術（例えば、電磁結合、電磁誘導、マイクロ波、近赤外線、短近距離無線通信など）を用いることができる。なお、短近距離無線通信としては、例えば、ブルートゥース（登録商標）などを用いることが可能である。
【００３３】
上述した本発明の第１〜第３の実施形態による情報提供システムによれば、移動式シート１を容易に移動させることができるため、施設自体が移動する仮設施設においても一緒に移動させることができ、音声案内機能をいつでもどこでも、必要とする場所に移動して設置することができ、ユーザー等の利便性を向上させることができる。
また、ＩＣタグ３に複数の異言語による案内システムの情報を記録すれば、個別に必要とする言語で案内を受けられるので、有用な情報を容易に入手することができる。
また、従来の点字ブロックは、都市部において歩道や鉄道の駅、各種大規模物品販売店等の多数の施設が込み入って構築されており、行動に必要とされる道案内等に関する十分な情報の伝達は得られるものの、簡易的な建物、仮設会場等の、所定期間が過ぎると移動する施設においては、視力の不自由な方の行動が制約されるという問題があった。しかし、本実施形態によるＩＣタグ３を用いた移動式シート１を用いることにより、行動に必要とされる十分な情報を得ることが可能となり、ユーザーの行動・活動範囲の拡大に大きく貢献することができる。
【００３４】
以上、本発明の実施形態について図面を参照して説明したが、具体的な構成についてはこれらの実施の形態に限定されるものではなく、本発明の要旨を逸脱しない範囲の設計変更等が可能である。
【図面の簡単な説明】
【００３５】
【図１】本発明の第１の実施形態による情報提供システムの構成を示す図である。
【図２】本発明の実施形態によるＩＣチップ５の構成を示す平面図である。
【図３】本発明の実施形態によるリーダー２ａの構成を示すブロック図である。
【図４】本発明の実施形態によるリーダー２ｂの構成を示すブロック図である。
【図５】本実施形態による情報提供システムの他の構成を示す図である。
【図６】本発明の第２の実施形態による情報提供システムの構成を示す図である。
【図７】本実施形態による情報提供システムの他の構成を示す図である。
【図８】本発明の第３の実施形態による情報提供システムの構成を示す図である。
【図９】本実施形態による情報提供システムの他の構成を示す図である。
【図１０】本発明の実施形態による情報提供システムの使用例を示す図である。
【図１１】本発明の実施形態による情報提供システムの他の使用例を示す図である。
【図１２】本発明の実施形態による情報提供システムの他の使用例を示す図である。
【図１３】本発明の実施形態による情報提供システムの他の使用例を示す図である。
【符号の説明】
【００３６】
１・・・移動式シート
２（２ａ、２ｂ）・・・リーダー
３（３ａ、・・・、３ｚ）・・・ＩＣタグ
４（４ａ、４ｂ、４ｃ）・・・アンテナ
５・・・ＩＣチップ
６・・・発信器
７・・・受信器
８・・・データ処理部
９・・・アンプ部
１０・・・音声再生機
１１・・・電源部
１２・・・集積回路部
１３・・・イヤホン
１４・・・点字ブロックの凹凸
１６（１６ａ〜１６ｅ）・・・展示物
１７・・・入り口
Ｍ（Ｍ１、Ｍ２）・・・ユーザー
【図１】
2006110172.tif 000003
【図２】
2006110172.tif 000004
【図３】
2006110172.tif 000005
【図４】
2006110172.tif 000006
【図５】
2006110172.tif 000007
【図６】
2006110172.tif 000008
【図７】
2006110172.tif 000009
【図８】
2006110172.tif 000010
【図９】
2006110172.tif 000011
【図１０】
2006110172.tif 000012
【図１１】
2006110172.tif 000013
【図１２】
2006110172.tif 000014
【図１３】
2006110172.tif 000015